(57)【要約】【課題】竿杆の良好な曲げ調子が簡単に得られ、竿杆の撓みを阻害しない、軽量化に寄与し得る釣糸ガイドを備える釣竿を提供することを目的とする。【解決手段】本発明の釣竿１の釣糸ガイド１０Ｂは、釣糸が挿通される円環状のガイド部１２と、ガイド部１２から延びるとともに線材６０の巻回により竿杆２に固定される脚部１３Ｂとを有する。脚部１３Ｂは、線材６０が巻回された状態で竿杆２に対してその長手方向Ｌに釣糸ガイド１０Ｂが移動するのを規制する移動規制部１３Ｂａを有し、移動規制部１３Ｂａの曲げ剛性がそれ以外の脚部１３Ｂの部位の曲げ剛性よりも小さい。【選択図】図５
2014027885.tif 000002
【特許請求の範囲】
【請求項１】
所定の幅を有して長手方向に延びる竿杆と、該竿杆に取り付けられて釣糸を案内する釣糸ガイドとを備える釣竿であって、
前記釣糸ガイドは、釣糸が挿通される円環状のガイド部と、該ガイド部から延びるとともに線材の巻回により竿杆に固定される脚部とを有し、
前記脚部は、線材が巻回された状態で竿杆に対してその長手方向に釣糸ガイドが移動するのを規制する移動規制部を有し、該移動規制部の曲げ剛性がそれ以外の脚部の部位の曲げ剛性よりも小さいことを特徴とする釣竿。
【請求項２】
前記移動規制部は、前記ガイド部から離れるにしたがってその肉厚が次第に薄くなるとともにその幅が次第に大きくなることを特徴とする請求項１に記載の釣竿。
【請求項３】
前記移動規制部は、その長手方向に沿って蛇行状に延びるとともに、前記線材が係止できる凹部を形成することを特徴とする請求項１に記載の釣竿。
【請求項４】
前記移動規制部は、釣糸ガイドが竿杆に取り付けられた状態でその長手方向の一部を竿杆から離間させて前記線材の抜け止めを成す凸部を有することを特徴とする請求項１に記載の釣竿。
【発明の詳細な説明】
【技術分野】
【０００１】
本発明は、釣竿に関し、特に、釣糸を案内する釣糸ガイドに特徴を有する釣竿に関する。
【背景技術】
【０００２】
釣糸を案内する釣糸ガイドが取り付けられて成る釣竿は、従来から様々な形態および用途のものが知られており、釣竿の竿杆に取り付けられる釣糸ガイドの形態も多種多様である。
【０００３】
例えば、特許文献１には、釣糸が挿通される釣糸ガイドの竿先糸通環から延びる両脚板に波形状を折曲成形し、この波形状の部分で糸等を巻回して釣糸ガイドを竿杆に止着することにより、糸等の弛みを防止して釣糸ガイドを竿杆に対して強固に抜け止め固定するようにした構造が開示されている。
【０００４】
また、特許文献２には、釣糸が挿通される釣糸ガイドの糸導環から延びる取付脚の一部を潰して扁平部を形成することにより、取付脚と竿杆との密着性を高め、釣糸ガイドの竿杆からの抜け落ちを防止するようにした構造が開示されている。
【０００５】
更に、特許文献３には、釣糸ガイドが取り付けられる釣竿のガイド取付部位にその剛性を局所的に低下させるべく切欠凹部等を形成し、それにより、このガイド取付部位に釣糸ガイドを取り付けた状態でも滑らかに湾曲して一様に復元し得るようにした釣竿が開示されている。
【先行技術文献】
【特許文献】
【０００６】
【特許文献１】実公昭３３−１７２６９号
【特許文献２】実開昭４９−１３６７８８号
【特許文献３】特開２０１１−１８２６７０号
【発明の概要】
【発明が解決しようとする課題】
【０００７】
しかしながら、特許文献１では、脚板と竿杆との密着性を高めるために脚板が竿杆の外形に沿うように湾曲されているため、この湾曲した密着取り付け部位で剛性が大きくなり、それにより竿杆の撓みが阻害される虞がある。
【０００８】
また、特許文献２では、扁平部に糸を巻回してそこに接着剤を塗布することにより釣糸ガイドを竿杆に接着固定するため、扁平部を糸で締め付けることにより（扁平部の変形により）固定部位の両側に接着剤の楔状の固着塊が形成され、この固着塊が重量化を招くとともに竿杆の撓みを阻害する虞がある。
【０００９】
更に、特許文献３では、竿杆に直接に切欠凹部等を形成するため、竿杆の剛性の調整が煩雑であり、また、切欠凹部等の形成位置に釣糸ガイドを取り付けるようにしているため、釣糸ガイドの取付位置が制限される。また、切欠凹部等によって竿杆の剛性を低下させて滑らかな湾曲を実現しようとしているため、竿杆の先端側ほど剛性低下を大きくする必要があり、竿杆先端の強度不足により竿の曲げ調子が良好に得られない（竿杆の先端側に取り付けられる釣糸ガイドほど、その剛性を抑える必要がある）。
【００１０】
本発明は、前記事情に着目してなされたものであり、その目的とするところは、竿杆の良好な曲げ調子が簡単に得られ、竿杆の撓みを阻害しない、軽量化に寄与し得る釣糸ガイドを備える釣竿を提供することにある。
【課題を解決するための手段】
【００１１】
前記課題を解決するために、請求項１に記載の発明は、所定の幅を有して長手方向に延びる竿杆と、該竿杆に取り付けられて釣糸を案内する釣糸ガイドとを備える釣竿であって、前記釣糸ガイドは、釣糸が挿通される円環状のガイド部と、該ガイド部から延びるとともに線材の巻回により竿杆に固定される脚部とを有し、前記脚部は、線材が巻回された状態で竿杆に対してその長手方向に釣糸ガイドが移動するのを規制する移動規制部を有し、該移動規制部の曲げ剛性がそれ以外の脚部の部位の曲げ剛性よりも小さいことを特徴とする。
【００１２】
この請求項１に記載の発明によれば、釣糸ガイドは、その脚部に、線材が巻回された状態で竿杆に対してその長手方向に釣糸ガイドが移動するのを規制する移動規制部を有しているため、竿杆に対して強固に取り付け固定され、またその一方で、移動規制部の曲げ剛性がそれ以外の脚部の部位の曲げ剛性よりも小さくなっているため、竿杆の撓みを阻害せずに済み、竿杆の本来の良好な湾曲性能を保つことができる。また、竿杆に直接に加工を施して竿杆の剛性を調整するのではなく、釣糸ガイドの脚部の剛性を部分的に低下させることにより竿杆への追従を可能にしているため（竿杆に追従するべき移動規制部の剛性を低下させているため）、竿杆の良好な曲げ調子を簡単に得ることができる。また、線材巻回部に接着剤を塗布しても、特許文献２のような接着剤の楔状の固着塊が形成されないため、竿杆の撓みを阻害しないことは勿論のこと、軽量化にも寄与し得る。
【００１３】
なお、本構成において、釣糸ガイドの脚部の数や、脚部の延在方向は任意である。また、線材の材質も任意であり、繊維等から成る糸であってもよく、金属から成るワイヤであっても構わない。また、釣糸ガイドの強固な固定ために、線材の巻回部上に接着剤が塗布されてもよい。
【００１４】
また、請求項２に記載の発明は、請求項１に記載の発明において、前記移動規制部は、前記ガイド部から離れるにしたがってその肉厚が次第に薄くなるとともにその幅が次第に大きくなることを特徴とする。
【００１５】
この請求項２に記載の発明によれば、移動規制部の幅が前記ガイド部から離れるにしたがって次第に大きくなることにより、線材による巻回固定状態で、竿杆に対してその長手方向に釣糸ガイドが移動することが効果的に規制され、また、移動規制部の肉厚が前記ガイド部から離れるにしたがって次第に薄くなることにより、移動規制部の曲げ剛性がそれ以外の脚部の部位の曲げ剛性よりも小さくなり、竿杆の撓みを阻害せずに竿杆の本来の良好な湾曲性能を保つことができる。したがって、本構成によれば、請求項１に記載の発明と同様の作用効果を有利に得ることができる。特に、本構成の釣糸ガイドは、剛性変化が少ないため、竿杆の曲げ調子に与える影響を極力小さく抑えることができる。
【００１６】
また、請求項３に記載の発明は、請求項１に記載の発明において、前記移動規制部は、その長手方向に沿って蛇行状に延びるとともに、前記線材が係止できる凹部を形成することを特徴とする。
【００１７】
この請求項３に記載の発明によれば、移動規制部がその長手方向に沿って蛇行状に延びているため、移動規制部がその長手方向で竿杆の曲げに追従し易くなり、また、この蛇行形態によって移動規制部にバネ弾性を付与することも可能となり、移動規制部の曲げ剛性をそれ以外の脚部の部位の曲げ剛性よりも小さくすることが効果的に実現される。また、移動規制部の蛇行形態によって、移動規制部と竿杆（線材）との接触面積が大きく確保されるとともに、線材が係止できる凹部が移動規制部に形成されることになるため、線材による巻回固定状態で、竿杆に対してその長手方向に釣糸ガイドが移動することが効果的に規制される。つまり、本構成によれば、請求項１に記載の発明と同様の作用効果を有利に得ることができる。
【００１８】
また、請求項４に記載の発明は、請求項１に記載の発明において、前記移動規制部は、釣糸ガイドが竿杆に取り付けられた状態でその長手方向の一部を竿杆から離間させて前記線材の抜け止めを成す凸部を有することを特徴とする。
【００１９】
この請求項４に記載の発明によれば、移動規制部は、釣糸ガイドが竿杆に取り付けられた状態でその長手方向の一部を竿杆から離間させる凸部を有しているため（これにより、移動規制部の竿杆に対する密着面積を減らしている（竿杆の撓みを逃がす逃げ部を形成している）ため）、移動規制部の曲げ剛性をそれ以外の脚部の部位の曲げ剛性よりも小さくすることが効果的に実現される。また、前記凸部が線材の抜け止めとして機能するため、線材による巻回固定状態で、竿杆に対してその長手方向に釣糸ガイドが移動することが効果的に規制される。つまり、本構成によれば、請求項１に記載の発明と同様の作用効果を有利に得ることができる。
【発明の効果】
【００２０】
本発明によれば、竿杆の良好な曲げ調子が簡単に得られ、竿杆の撓みを阻害しない、軽量化に寄与し得る釣糸ガイドを備える釣竿を提供することができる。
【図面の簡単な説明】
【００２１】
【図１】本発明の一実施形態に係る釣竿の斜視図である。
【図２】図１の釣竿に取り付けられる釣糸ガイドの第１の例を示す側面図である。
【図３】図２のＸ方向から見た釣糸ガイドの平面図である。
【図４】図１の釣竿に取り付けられる釣糸ガイドの第２の例を示す平面図である。
【図５】図１の釣竿に取り付けられる釣糸ガイドの第３の例を示す側面図である。
【図６】図５のＹ方向から見た釣糸ガイドの平面図である。
【発明を実施するための形態】
【００２２】
以下、本発明に係る釣竿の一実施形態について具体的に説明する。  
図１〜図３は本発明の第１の実施形態を示している。図１に示されるように、本実施形態の釣竿１は、主にワカサギ釣りに適した構造となっており、所定の幅Ｗを有して長手方向Ｌに延びる竿杆２と、竿杆２に取り付けられて釣糸５０を案内する釣糸ガイド（釣糸ガイドの第１の例）１０とを備える。この場合、竿杆２は、横ブレを抑制してその感度を高める（ワカサギのような小魚の当たりを感知し易い）ように薄肉扁平形状に形成されており、その基端が保持部５を介して糸巻き装置３に結合されている。なお、糸巻き装置３は、釣糸が巻回される糸巻き部（リール）４を有しており、電動巻回式のものであってもよく、あるいは、元竿として形成されて魚釣用リールが取り付けられる構成であっても構わない。
【００２３】
竿杆２は、例えば、炭素繊維、ガラス繊維等の強化繊維に合成樹脂を含浸させたシート状の部材を複数枚積層し、これを加熱成形することで、各シート状の部材が層状に密着した扁平構造に形成されており、釣糸ガイド１０が取り付けられる表面２ａを有する。また、竿杆２は、本実施形態では先端側ほど幅が狭く且つ薄肉に形成されているが、全長にわたって同じ幅を有していてもよい。また、竿杆２の表面２ａには、糸巻き装置３の糸巻き部４から繰り出される釣糸５０を案内する釣糸ガイド１０が長手方向Ｌに沿って互いに所定の間隔を隔てて取り付けられている。なお、竿杆２は、金属によって形成されてもよい。
【００２４】
各釣糸ガイド１０は、例えばステンレス合金、アルミ合金、チタン合金等から成る線条部材（線径は例えば０．３ｍｍ〜１ｍｍ；中実または中空いずれであってもよい）を折り曲げ巻回して形成されており、図２に明確に示されるように、釣糸５０が挿通される円環状のガイド部１２と、ガイド部１２から延びて竿杆２に固定される一対の脚部１３，１３とを有する。この場合、ガイド部１２は、線条部材を螺旋状に巻回（例えば１巻〜複数巻）することにより形成されており、その巻回部の両端から脚部１３，１３が竿杆２の表面２ａへ向けて延びている。
【００２５】
なお、ガイド部１２の内周は、釣糸５０を滑らかに案内し、ガイドリングが装着されてもよい。また、脚部１３，１３は、接着剤を伴って或いは接着剤を伴わずに線材６０（線材６０の材質は任意であり、繊維等から成る糸であってもよく、金属から成るワイヤであっても構わない）の巻回によって固定される。この場合、線材６０は、脚部１３，１３と共に竿杆２を取り囲むように複数回巻回される（図１参照）。
【００２６】
また、本実施形態において、一対の各脚部１３は、線材６０が巻回された状態で竿杆２に対してその長手方向に釣糸ガイド１０が移動するのを規制する移動規制部１３ａを有する。そして、この移動規制部１３ａは、その曲げ剛性がそれ以外の脚部１３の部位の曲げ剛性よりも小さく設定されている。
【００２７】
このような移動規制部１３ａを実現するため、具体的に本実施形態において、移動規制部１３ａは、ガイド部１２から離れるにしたがってその肉厚が次第に薄くなるとともにその幅が次第に大きくなっている。
【００２８】
すなわち、図３に示されるように、移動規制部１３ａは、その幅がガイド部１２から離れるにしたがって次第に大きくなっており、ガイド部１２に近い側の移動規制部１３ａの幅Ｗ１とガイド部１２から遠い側の移動規制部１３ａの幅Ｗ２との間にＷ２＞Ｗ１の関係が成り立つようになっている。このようにすることにより、移動規制部１３ａが線材６０の巻回によって竿杆２に固定された状態では、図３に矢印Ｆで示す竿先方向の力が釣糸ガイド１０に作用した場合でも、幅広の移動規制部１３ａの側が幅狭の移動規制部１３ｂの側を巻回する線材６０に引っ掛かるため、釣糸ガイド１０が竿先方向側に抜け難くなる。つまり、移動規制部１３ａは、その長手方向に沿った幅寸法の変化により、竿杆２に対してその長手方向に釣糸ガイド１０が移動することを規制する。なお、ガイド部１２から遠い側の移動規制部１３ａの部位は、幅広であるため、竿杆２の表面２ａ上に安定して載置されるとともに、幅広とはいえ後述するようにその肉厚が薄いため、竿杆２の撓みを阻害しない。
【００２９】
また、図２に示されるように、移動規制部１３ａは、その肉厚がガイド部１２から離れるにしたがって次第に薄くなっており、ガイド部１２に近い側の移動規制部１３ａの肉厚ｔ１とガイド部１２から遠い側の移動規制部１３ａの肉厚ｔ２との間にｔ１＞ｔ２の関係が成り立つようになっている（したがって、ガイド部１２から遠い側の移動規制部１３ａの部位ほど変形し易くなっている（竿杆２の撓みを阻害しないようになっている））。このようにすることにより、移動規制部１３ａは、その曲げ剛性がそれ以外の脚部１３の部位の曲げ剛性よりも小さくなる。
【００３０】
以上のように、本実施形態によれば、釣糸ガイド１０は、その脚部１３に、線材６０が巻回された状態で竿杆２に対してその長手方向Ｌに釣糸ガイド１０が移動するのを規制する移動規制部１３ａを有しているため、竿杆２に対して強固に取り付け固定され、またその一方で、移動規制部１３ａの曲げ剛性がそれ以外の脚部１３の部位の曲げ剛性よりも小さくなっているため、竿杆２の撓みを阻害せずに済み、竿杆２の本来の良好な湾曲性能を保つことができる。また、本実施形態では、竿杆２に直接に加工を施して竿杆２の剛性を調整するのではなく、釣糸ガイド１０の脚部１３の剛性を部分的に低下させることにより竿杆２への追従を可能にしているため（竿杆２に追従するべき移動規制部１３ａの剛性を低下させているため）、竿杆２の良好な曲げ調子を簡単に得ることができる。また、線材巻回部に接着剤を塗布しても、特許文献２のような接着剤の楔状の固着塊が形成されないため、竿杆２の撓みを阻害しないことは勿論のこと、軽量化にも寄与し得る。
【００３１】
図４は、図１の釣竿１の竿杆２に取り付けられる釣糸ガイドの第２の例を示している。図示のように、この釣糸ガイド１０Ａは、その一対の脚部１３Ａ，１３Ａの移動規制部１３Ａａが、その長手方向に沿って蛇行状に延びるとともに、線材６０が係止できる複数の凹部２０を形成している（図では、各移動規制部１３Ａａに２つの凹部２０が設けられる）。この場合、凹部２０の数、移動規制部１３Ａａの蛇行長さは任意に設定できる。また、凹部２０は、その横方向寸法Ａ（竿杆２の長手方向Ｌに対して垂直な方向に沿う寸法）がその縦方向寸法Ｂ（竿杆２の長手方向Ｌに沿う寸法）よりも大きいことが好ましい。このようにすると、竿杆２の横方向（竿杆２の長手方向Ｌに対して垂直な方向）に移動規制部１３Ａａを大きく屈曲させることができるため、竿杆２の撓みを阻害し難くなる。なお、移動規制部１３Ａａは、断面が円形であってもよく、あるいは、断面が扁平形状であってもよい。
【００３２】
このように、本実施形態によれば、移動規制部１３Ａａがその長手方向に沿って蛇行状に延びているため、移動規制部１３Ａａがその長手方向で竿杆の曲げに追従し易くなり、また、この蛇行形態によって移動規制部１３Ａａにバネ弾性を付与することも可能となり、移動規制部１３Ａａの曲げ剛性をそれ以外の脚部１３の部位の曲げ剛性よりも小さくすることが効果的に実現される（したがって、釣糸ガイド１０Ａは竿杆２の撓みを阻害しない）。また、移動規制部１３Ａａの蛇行形態によって、移動規制部１３Ａａと竿杆２（線材６０）との接触面積が大きく確保されるとともに、線材６０が係止できる凹部２０が移動規制部１３Ａａに形成されることになるため、線材２０による巻回固定状態で、竿杆２に対してその長手方向に釣糸ガイド１０Ａが移動することが効果的に規制される。
【００３３】
図５は、図１の釣竿１の竿杆２に取り付けられる釣糸ガイドの第３の例を示している。図示のように、この釣糸ガイド１０Ｂの一対の脚部１３Ｂ，１３Ｂの移動規制部１３Ｂａは、釣糸ガイド１０Ｂが竿杆２に取り付けられた状態（図５および図６の状態）でその長手方向の一部を竿杆２から離間させて線材６０の抜け止めを成す１つの凸部３０を有しており、凸部３０の両側で線材６０が巻回され、その巻回部上に接着剤７０が塗布されることにより、釣糸ガイド１０Ｂが竿杆２の表面２ａ上に固定される。なお、凸部３０の数は複数であってもよい。
【００３４】
このように、本実施形態によれば、移動規制部１３Ｂａは、釣糸ガイド１０Ｂが竿杆２に取り付けられた状態でその長手方向の一部を竿杆２から離間させる凸部３０を有しているため（これにより、移動規制部１３Ｂａの竿杆２に対する密着面積を減らしている（竿杆２の撓みを逃がす逃げ部５０を形成している）ため）、移動規制部１３Ｂａの曲げ剛性をそれ以外の脚部１３の部位の曲げ剛性よりも小さくすることが効果的に実現される。したがって、釣糸ガイド１０Ｂは、竿杆２の撓みを阻害しない。また、凸部３０が線材６０の抜け止めとして機能するため、線材６０による巻回固定状態で、竿杆２に対してその長手方向に釣糸ガイド１０Ｂが移動することが効果的に規制される。
【００３５】
以上、本発明の実施形態について説明したが、本発明は、前述した実施形態に限定されず、その要旨を逸脱しない範囲で種々変形して実施できる。例えば、前述した実施形態において、釣糸ガイドの数、釣糸ガイドの脚部の数や、脚部の延在方向は任意である。また、移動規制部の形態は、線材が巻回された状態で竿杆に対してその長手方向に釣糸ガイドが移動するのを規制でき且つ移動規制部の曲げ剛性がそれ以外の脚部の部位の曲げ剛性よりも小さければ、どのような形態であっても構わない。
【符号の説明】
【００３６】
１  釣竿
２  竿杆
１０，１０Ａ，１０Ｂ  釣糸ガイド
１２  ガイド部
１３，１３Ａ，１３Ｂ  脚部
１３ａ，１３Ａａ，１３Ｂａ  移動規制部
２０  凹部
３０  凸部
５０  釣糸
Ｌ  長手方向
【図１】
2014027885.tif 000003
【図２】
2014027885.tif 000004
【図３】
2014027885.tif 000005
【図４】
2014027885.tif 000006
【図５】
2014027885.tif 000007
【図６】
2014027885.tif 000008